(57)【特許請求の範囲】
【請求項１】
トナー又はインクによる印刷画像が形成された印刷物に筆記具による手書きマーキングが施された混在原稿を読み取って多値画像データを作成し得る画像読取部と、この画像読取部で読み取った多値画像データを記憶する画像記憶部と、この画像記憶部に記憶された多値画像データから前記手書きマーキングにより特定された部分画像を抽出した上でこの部分画像に変倍処理を施す抽出変倍処理部と、変倍された部分画像を記録紙上に記録する画像記録部と、を備えた複写装置において、
前記手書きマーキングは複数あり、
前記抽出変倍処理部は、
前記多値画像データから、前記手書きマーキングのそれぞれにおいて、前記手書きマーキングを構成する複数の画素の濃淡差の程度を考慮要素として、全ての手書きマーキング画像を前記印刷画像と区別して分離する、分離処理部と
前記分離された複数の手書きマーキングの全てを含む最小の矩形を設定する、矩形設定部と、
前記設定された矩形により囲まれる領域の前記印刷画像を前記部分画像として抽出する、抽出処理部と、
前記抽出された部分画像を変倍する、変倍処理部と、を含むことを特徴とする複写装置。
【請求項２】
トナー又はインクによる印刷画像が形成された印刷物に筆記具による手書きマーキングが施された混在原稿を読み取って多値画像データを作成し得る画像読取部と、この画像読取部で読み取った多値画像データを記憶する画像記憶部と、この画像記憶部に記憶された多値画像データから前記手書きマーキングにより特定された部分画像を抽出した上でこの部分画像に変倍処理を施す抽出変倍処理部と、変倍された部分画像を記録紙上に記録する画像記録部と、を備えた複写装置において、
前記抽出変倍処理部は、
前記多値画像データから、前記手書きマーキングを構成する複数の画素の濃淡差の程度を考慮要素として、手書きマーキング画像を前記印刷画像と区別して分離する、分離処理部と
前記分離された手書きマーキングの個数を計数し、単数か又は複数かを判定する、計数処理部と、
前記手書きマーキングが単数の場合に、当該手書きマーキングが閉領域であるか否かを判定する閉領域判定部と、
前記分離された閉領域の手書きマーキングを含む最小の矩形を設定するか、又は前記分離された複数の手書きマーキングの全てを含む最小の矩形を設定する、矩形設定部と、
前記設定された矩形により囲まれる領域の前記印刷画像を前記部分画像として抽出する、抽出処理部と、
前記抽出された部分画像を変倍する、変倍処理部と、を含むことを特徴とする複写装置。
【請求項３】
前記抽出変倍処理部は、前記設定された矩形の大きさを取得する部分画像情報取得部をさらに有し、
前記変倍処理部は、前記矩形の大きさに基づき、前記部分画像の縦横比を維持したまま前記記録紙の大きさに収まる最大限の大きさまで前記部分画像を変倍する、ことを特徴とする請求項１または２に記載の複写装置。
【請求項４】
前記抽出変倍処理部は、前記取得した矩形の大きさに基づき、前記部分画像の縦横比を維持したまま前記記録紙の向きに合うように前記部分画像を回転させる、回転処理部をさらに含む、ことを特徴とする請求項３に記載の複写装置。
【発明の詳細な説明】
【技術分野】
【０００１】
本発明は、一枚の原稿から特定の部分画像を抽出して記録紙に正しく収めて記録することができる、複写装置に関する。
【背景技術】
【０００２】
複写装置の利用者は、原稿画像における特定の部分だけを変倍（拡大又は縮小）して記録紙に複写する場合、その複写装置に特殊な部分変倍複写機能が備えられていなければ、特定の部分の端をフラットベッドスキャナ（ＦＢＳ）の端に沿うように原稿を配置し、大まかな変倍率を入力して複写処理を行う。この部分変倍複写手順では、原稿の配置誤りや適切な変倍率の入力誤りがあると、拡大複写したい部分画像が全て複写物に入り切らない、或いは利用者の想定よりも十分に拡大又は縮小して複写されていない、といった問題があった。
【０００３】
特許文献１に、原稿上のマーク（赤線等の囲み線）内の画像を部分的に切り出して画像サイズを認識し、この画像サイズと記録紙のサイズとに基づいて変倍率を設定し、その変倍率で記録紙上に拡大画像を記録する。その際に余白が最適値になるように画像を拡大する、点が説明されている。
【先行技術文献】
【特許文献】
【０００４】
【特許文献１】特開２００２−１７１４０２号公報
【発明の概要】
【発明が解決しようとする課題】
【０００５】
本発明が解決しようとする課題は、一枚の原稿から特定の部分画像を抽出し、それを記録紙の大きさに併せて拡大又は縮小処理を行い、記録紙に正しく収めて記録する、というものである。
【課題を解決するための手段】
【０００６】
本発明は、トナー又はインクによる印刷画像が形成された印刷物に筆記具による手書きマーキングが施された混在原稿を読み取って多値画像データを作成し得る画像読取部と、この画像読取部で読み取った多値画像データを記憶する画像記憶部と、この画像記憶部に記憶された多値画像データから前記手書きマーキングにより特定された部分画像を抽出した上でこの部分画像に変倍処理を施す抽出変倍処理部と、変倍された部分画像を記録紙上に記録する画像記録部と、を備えた複写装置に関連する。
【０００８】
好ましい一側面では、前記手書きマーキングが複数あり、前記抽出変倍処理部が、分離処理部、矩形設定部、抽出処理部及び変倍処理部を含む。前記分離処理部は、前記多値画像データから、前記手書きマーキングのそれぞれにおいて、前記手書きマーキングを構成する複数の画素の濃淡差の程度を考慮要素として、全ての手書きマーキング画像を前記印刷画像と区別して分離する。前記矩形設定部は、前記分離された複数の手書きマーキングの全てを含む最小の矩形を設定する。前記抽出処理部は、前記設定された矩形により囲まれる領域の前記印刷画像を前記部分画像として抽出する。前記変倍処理部は、前記抽出された部分画像を変倍する。
【０００９】
さらに別の好ましい一側面では、前記抽出変倍処理部は、分離処理部、計数処理部、閉領域判定部、矩形設定部、抽出処理部及び変倍処理部を含む。前記分離処理部は、前記多値画像データから、前記手書きマーキングを構成する複数の画素の濃淡差の程度を考慮要素として、手書きマーキング画像を前記印刷画像と区別して分離する。前記計数処理部は、前記分離された手書きマーキングの個数を計数し、単数か又は複数かを判定する。前記閉領域判定部は、前記手書きマーキングが単数の場合に、当該手書きマーキングが閉領域であるか否かを判定する。前記矩形設定部は、前記分離された閉領域の手書きマーキングを含む最小の矩形を設定するか、又は前記分離された複数の手書きマーキングの全てを含む最小の矩形を設定する。前記抽出処理部は、前記設定された矩形により囲まれる領域の前記印刷画像を前記部分画像として抽出する。前記変倍処理部は、前記抽出された部分画像を変倍する。
【００１０】
上述の本発明のいずれかの好ましい側面において、前記抽出変倍処理部が、前記設定された矩形の大きさを取得する部分画像情報取得部をさらに有し、前記変倍処理部が、前記矩形の大きさに基づき、前記部分画像の縦横比を維持したまま前記記録紙の大きさに収まる最大限の大きさまで前記部分画像を拡大する、ことが好ましい。
【００１１】
上述の本発明の好ましい側面において、前記抽出変倍処理部は、前記取得した矩形の大きさに基づき、前記部分画像の縦横比を維持したまま前記記録紙の向きに合うように前記部分画像を回転させる、回転処理部をさらに含むことが好ましい。
【発明の効果】
【００１２】
上述の本発明の好ましい各側面によれば、使用者が原稿上の変倍複写したい箇所を一つの閉領域又は複数の手書きマーキングにより指定した上で抽出変倍複写を指示することで、手書きマーキングの複数の画素の濃淡差の程度により変倍複写する部分画像を矩形領域に切り出し、その切り出した部分画像を最大限に拡大して記録紙上に記録し、又は小さい記録紙が選択されたときはその小さい記録紙上に最大限の大きさとなるように縮小して記録紙上に記録した複写物を得ることができる。このとき、切り出した部分画像が長矩形の場合には、その部分画像の縦横比を維持したまま回転処理を施し、記録紙上に最大限の大きさで拡大又は縮小して記録した複写物を得ることができる。
【図面の簡単な説明】
【００１３】
【図１】複写装置内のハードウエア構成を示したブロック図である。
【図２】抽出変倍処理部のソフトウェアブロック図である。
【図３】部分画像の抽出変倍（拡大）処理の一例を示す図である。
【図４】部分画像の抽出変倍（拡大）処理の他の例を示す図である。
【図５】部分画像の抽出変倍（拡大）処理のさらに他の例を示す図である。
【発明を実施するための形態】
【００１４】
図１〜図５を参照して本発明を好適な複数の実施例として説明するが、本発明の技術的範囲は、特許請求の範囲の記載により定められるべきものであり、これらの実施例の記載により限定的に解釈されるべきでない。
【００１５】
図１は、本発明の一実施形態の複写装置としてのデジタル複合機１の構成を示す図である。デジタル複合機１は、ＦＡＸ機能、コピー機能、スキャン機能、プリント機能などの複数の機能を有する複合機（ＭＦＰ装置）として構成されている。
【００１６】
デジタル複合機１は、制御部１１と、ＲＯＭ１２と、データメモリ１３と、画像メモリ１４と、操作パネル１５と、画像処理部１６と、画像読取部１７と、画像記録部１８と、大容量蓄積部１９と、通信関係の処理部３１〜３４とを、バスライン１０を介して電気的に接続した構成となっている。
【００１７】
制御部１１は、ＣＰＵで構成されている。制御部１１は、ＲＯＭ１２に記憶されたプログラムＰに基づいて上記のハードウエア各部を制御し、デジタル複合機１の機能を実現する。
【００１８】
ＲＯＭ１２は、デジタル複合機１の制御に必要なプログラムＰ、データ等を予め格納した読み出し専用の記憶装置である。
【００１９】
データメモリ１３は、読み出しと書き込みとが可能な記憶装置であり、画像データ、ＦＡＸ番号、メールアドレスなどの一時的に蓄積される諸データ、制御部１１による演算処理の際に発生するデータ等を一時的に記憶する。データメモリ１３はＳＲＡＭ、フラッシュメモリ等で構成される。
【００２０】
画像メモリ１４は、ＬＡＮＩ／Ｆ３４あるいはＮＣＵ３３を通じて外部装置から受信した画像データ、画像読取部１７において取得された画像データ、画像処理部１６において処理された画像データなどを一時的に記憶するための記憶装置である。画像メモリ１４は、読み出しと書き込みとが可能なＤＲＡＭ等のメモリにより構成される。画像メモリ１４は、画像記憶部として機能でき、画像読取部１７で読み取った多値画像データを記憶する。
【００２１】
操作パネル１５は、ユーザインタフェースとして機能する処理部である。操作パネル１５は、表示部１５１と、操作キー群１５２とを有している。
【００２２】
表示部１５１は、各種の情報を表示するとともにユーザ操作を受け付ける。表示部１５１は、表示パネルと、表示パネルに取り付けられたタッチパネルとを備えている。表示パネルは、デジタル複合機１の動作状態などを表示する装置であり、例えば液晶ディスプレイにより構成される。タッチパネルは、表示パネルの表示画面領域内に指などが触れたことを感知して、その接触情報を取得する。
【００２３】
操作キー群１５２は、文字キー、テンキー、ファンクションキーなどの各種キーによって構成され、コマンド、テキストデータ等の入力といったユーザ操作を受け付ける。操作キー群１５２のユーザ操作は信号として制御部１１に入力される。制御部１１はユーザ操作に基づいて各部の動作を制御する。
【００２４】
画像処理部１６は、受信された画像データ、画像読取部１７から取得した画像データ等にＡ／Ｄ変換、表色系の変換、色調整、画像の合成などの種々の処理を行う処理部である。
【００２５】
画像読取部１７は、原稿上の画像をＣＣＤラインセンサなどの読取素子によって読み取るスキャナである。画像読取部１７は、ガラス台上に載置された原稿の表面を読取素子が走査して画像を読み取るタイプのスキャナであってもよく、原稿の載置台（図示省略）に載置された原稿を、ＡＤＦ（Auto Document Feeder）によって搬送し、搬送される原稿の表面を静止した読取素子によって走査して画像を読み取るタイプのスキャナであってもよい。この画像読取部１７は、トナー又はインクによる印刷画像が形成された印刷物に筆記具による手書きマーキングが施された混在原稿を読み取って多値画像データを作成し得る。
【００２６】
画像記録部１８は、画像メモリ１４、大容量蓄積部１９等に格納された画像データなどを記録紙上へ記録するプリンタである。画像記録部１８には、例えば、電子写真方式のプリンタを採用することができる。この画像記録部１８は、抽出変倍処理部１００によって拡大又は縮小された部分画像を記録紙上に最大限の大きさで記録することができる。
【００２７】
大容量蓄積部１９は、ハードディスクなどにより構成される。大容量蓄積部１９は、画像読取部１７により処理された画像データを蓄積することができる。
【００２８】
さらにこのデジタル複合機１には、通信関係の処理部として、画像データ等を複数のプロトコルに対応して符号化/復号化するコーデック（ＣＯＤＥＣ）３１と、送受信データの変調および復調を行うモデム３２と、電話回線の開閉制御を行うＮＣＵ３３と、ＬＡＮ４１とのインターフェイスに相当するＬＡＮＩ／Ｆ３４とが、バスライン１０を介して電気的に接続した構成となっている。
【００２９】
ここで、デジタル複合機１の通信環境について説明する。デジタル複合機１はＬＡＮ４１と接続されている。また、ＬＡＮ４１はルータ４２などを介してインターネット４３に接続されている。これにより、デジタル複合機１は、ＬＡＮ４１を介して接続された情報処理装置４４、あるいは、インターネット４３を介して接続された情報処理装置４５と電子メール通信などを行うことができる。なお、情報処理装置４４，４５は、例えば、パソコン、デジタル複合機１と同様の装置、携帯電話等である。
【００３０】
さらに、デジタル複合機１は、アナログ回線用のデータ通信ネットワークである回線（例えば、ＰＳＴＮ（Public Switched Telephone Network：一般公衆電話網）４６（あるいは、ＩＳＤＮ（Integrated Services Digital Network：サービス総合デジタル網）））と接続されている。これによって、デジタル複合機１は回線４６を介して接続された通信端末装置４７とのＦＡＸ通信を行うことができる。なお、通信端末装置４７は、例えば、モデム接続されたパソコン、デジタル複合機１と同様の装置、固定電話、携帯電話、ＦＡＸ専用機等である。
【００３１】
デジタル複合機１は、抽出変倍（拡大及び縮小を含む）複写処理を実行することができる。この抽出変倍複写処理は、トナー又はインクによる印刷画像が形成された印刷物に筆記具による手書きマーキングが施された混在原稿を画像読取部１７で読み取って多値画像データを作成し、この多値画像データを画像メモリ１４に記憶させ、この画像メモリ１４に記憶された多値画像データから手書きマーキングにより特定された部分画像を抽出し、この部分画像に変倍処理を施し、変倍後の部分画像を記録紙上に、例えば最大限の大きさで記録して、部分的な画像の変倍複写物を得るための処理である。この処理は、画像処理部１６の一機能である抽出変倍処理部１００が実行する。以下、抽出変倍処理部１００のソフトウェア構成と、その処理のいくつかの具体例とについて、図２〜図５を参照して説明する。
【００３２】
図２に、抽出変倍処理部１００のソフトウェアブロック図を示す。抽出変倍処理部１００は、操作パネル部１５からの使用者の抽出変倍複写指示を受け付け、画像読取部１７からの多値画像データを画像メモリ１４に記憶させ又は画像メモリ１４から読み出し、この多値画像データに部分画像を抽出し変倍（拡大又は縮小）する処理を施して、変倍後の画像データを画像記録部１８に送り出す。画像記録部１８は、受け取った後の画像データを記録紙上に最大限の大きさで記録する。ただし、本発明の範囲は、記録紙上に最大限の大きさで記録することに限らない。
【００３３】
抽出変倍処理部１００は、分離処理部１０１、計数処理部１０２、閉領域判定部１０３、矩形設定部１０４、抽出処理部１０５、部分画像情報取得部１０６、変倍処理部１０７および回転処理部１０８を含み、処理された画像データはこの順番で後工程に引き渡される。ただし、抽出処理部１０５と部分画像情報取得部１０６の処理順番は入れ替わってもよく、変倍処理部１０７と回転処理部１０８の処理順番も入れ替わっても構わない。
【００３４】
分離処理部１０１は、画像読取部１７で読み取られ画像メモリ１４に記憶した多値画像データから、手書きマーキングを構成する複数の画素の濃淡差の程度を考慮要素として、手書きマーキング画像（鉛筆、油性・水性インクで原稿上に手書きで記入された閉領域（囲み枠）及びこの閉領域以外の記号等の画像）と、この手書きマーキング画像以外の印刷画像（トナーやインクで記録紙上に印刷された文字や図形等の画像）とを区別して分離する。この閉領域は、ある程度の大きさの閉領域を規定するものであればどのような形状であってもよい。例えば、多角形、角丸の多角形、円形、楕円形、等であってもよい。また、窪んだ部分、あるいは、突き出た部分を含む不規則な形状であってもよい。また、閉領域以外の記号等の画像は、ある程度の大きさの閉領域を規定するもの以外の図形であればどのような形状であってもよく、例えばチェック記号やアスタリスク記号や英数字などが挙げられる。
【００３５】
具体的には、分離処理は、例えば、多値画像データをいくつかのまとまりのあるオブジェクト画像に分割し、各オブジェクトの濃淡差を利用して分離することができる。すなわち、手書きマーキングは、印刷部分に比べて濃度が低い部分が多くなる傾向がある。そこで、多値画像データにおけるオブジェクト単位（例えば、連結画素単位）の平均濃度を算出し、平均濃度が所定値以下の部分を手書きマーキングと判断して、これを分離することによって、多値画像データから手書きマーキングを分離することができる。また、例えば、分離処理は、多値画像データに含まれる各オブジェクトの濃淡変化を利用して行うことができる。すなわち、手書きマーキングは、印刷部分に比べて濃度変化が緩やかとなる傾向がある。そこで、多値画像データにおけるオブジェクト単位（例えば、連結画素単位）の平均濃度変化率（隣接する画素間の濃度差の平均値）を算出し、平均濃度変化率が所定値以下の部分を手書きマーキングと判断して、これを分離することによって、多値画像データから手書きマーキングを分離することができる。分離処理は、上記に例示したように、多値画像データにおける各画素の濃度情報を用いて行うことができる他、公知の各種技術を用いて行うことも可能である。
【００３６】
計数処理部１０２は、分離された手書きマーキングの個数を計数し、単数か又は複数かを判定する。閉領域判定部１０３は、分離された手書きマーキングの個数が単数の場合に、その手書きマーキングが閉領域（囲み枠）であるか否かを判定する。
【００３７】
矩形設定部１０４は、分離された環状の手書きマーキング（囲み枠）に外接する最小の矩形を設定する。或いは、分離された複数の手書きマーキングの全てを含み、少なくとも一辺が一つの手書きマーキングに接する最小の矩形を設定する。
【００３８】
抽出処理部１０５は、設定された矩形により囲まれる領域の印刷画像を部分画像として抽出する。抽出された部分画像は、変倍（拡大又は縮小）処理及び／又は回転処理に供するために、例えば画像メモリ１４に記憶される。
【００３９】
部分画像情報取得部１０６は、抽出された部分画像（矩形）の大きさ（部分画像の位置情報）と、その部分画像の中心位置とを取得する。具体的には、各部分画像について設定された矩形の各頂点座標と中心座標とを算出し、得られた座標を部分画像の位置情報として取得する。中心座標は、矩形の頂点座標の平均を取得する。
【００４０】
変倍処理部１０７は、取得した矩形の大きさ（矩形の各頂点座標と中心座標）に基づき、その縦横比を維持したまま、記録紙の大きさに収まる最大限の大きさまで部分画像を拡大又は縮小する。例えば、選択された記録紙が原稿と等倍又はそれ以上の大きさでは拡大処理が行なわれ、選択された記録紙が切り出した部分画像の等倍サイズよりも小さければ縮小処理が行なわれる。変倍率は、矩形の大きさと画像の大きさとにより求められる。なお、部分画像の変倍処理はバイキュービック等のデジタル変倍を用いれば、細かな変倍率に対応できるため好ましい。回転処理部１０８は、取得した矩形の大きさ（矩形の各頂点座標と中心座標）と画像記録部１８の記録紙の向きに基づき、その縦横比を維持したまま録紙の向きに合うように前記部分画像を回転させる。なお、変倍処理部１０７及び回転処理部１０８は、いずれも変倍及び回転した画像データの中心を記録紙中心に一致させることが好ましい。
【００４１】
図３に、原稿内の画像を閉領域（囲み枠）の手書きマーキングで特定して、抽出拡大複写を実行する場合の具体例を示す。なお、抽出縮小複写を実行する場合の具体例は特に示さないが、図３の処理において部分画像を縮小すれば足りる。抽出拡大複写機能の利用者は、図３（Ａ）の原稿上に鉛筆等の筆記具にて拡大複写する印刷画像を閉領域の手書きマーキングで特定する（図３（Ｂ））。このとき、利用者は手書きマーキングが印刷画像と重ならないように注意する。この手書きマーキングが施された混在原稿を画像読取部１７にセットして、利用者が操作パネル１５から抽出拡大複写処理を指示すると、混在原稿が読み取られ、前述の分離処理、計数処理、閉領域判定処理、矩形設定処理、抽出処理が行なわれて、設定された矩形に囲まれる領域の印刷画像が部分画像として抽出される（図３（Ｃ））。そして、この部分画像にその縦横比を維持したまま記録紙の印字領域いっぱいまで拡大処理が施されて、好ましくは拡大後の部分画像の中心と記録紙の中心とを一致させて、拡大後の部分画像を記録紙上に記録して、拡大複写物を得ることができる。
【００４２】
図４及び図５に、原稿内の画像を、囲み枠以外の複数の手書きマーキングで特定して、抽出拡大複写を実行する場合の具体例を示す。なお、抽出縮小複写を実行する場合の具体例は特に示していないが、図４及び図５の処理において部分画像を縮小すれば足りる。抽出拡大複写機能の利用者は、図４（Ａ）、図５（Ａ）の原稿上に鉛筆等の筆記具にて拡大複写対象の印刷画像を複数の手書きマーキングで特定する（図４（Ｂ），図５（Ｂ））。このとき、利用者は手書きマーキングが印刷画像と重ならないように注意する。この手書きマーキングが施された混在原稿を画像読取部１７にセットして、利用者が操作パネル１５から抽出拡大複写処理を指示すると、混在原稿が読み取られ、前述の分離処理、計数処理、閉領域判定処理、矩形設定処理、抽出処理が行なわれて、設定された矩形に囲まれる領域の印刷画像が部分画像として抽出される（図３（Ｃ））。この矩形は、全ての手書きマーキングを含み、少なくとも一つの手書きマーキングに外接する最小の矩形である。そして、この部分画像にその縦横比を維持したまま記録紙の印字領域いっぱいまで拡大処理及び回転処理が施されて、好ましくは拡大後の部分画像の中心と記録紙の中心とを一致させて、拡大後の部分画像を記録紙上に記録して、拡大複写物を得ることができる（図４(Ｄ)，図５（Ｄ））。図５に示すように、抽出した部分画像の長尺方向と原稿の長尺方向とが直交している場合に、抽出された部分画像に回転処理が施される。
【００４３】
以上に本発明の実施形態について説明したが、いずれの実施形態も例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００４４】
１４  画像メモリ
１７  画像読取部
１８  画像記録部
１００  抽出拡大処理部
１０１  分離処理部
１０２  計数処理部
１０３  閉領域判定部
１０４  矩形設定部
１０５  抽出処理部
１０６  部分画像情報取得部
１０７  拡大部
１０８  回転処理部
【図１】
0005884545.tif 000002
【図２】
0005884545.tif 000003
【図３】
0005884545.tif 000004
【図４】
0005884545.tif 000005
【図５】
0005884545.tif 000006